【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）により、前記ＵＥのマルチプルアップリンク能力を報告することと、
２つ以上のタイミング調整グループ（ＴＡＧ）に属する２つ以上のノードについてのマルチフローアップリンク送信を前記ＵＥが行うための構成を受信することと、ここにおいて、前記２つ以上のノードの各々が、前記２つ以上のＴＡＧのうちの別々のＴＡＧに属する、
前記ＵＥにより、前記２つ以上のノードのうちの少なくとも２つのノードに少なくとも２つの物理アップリンク制御チャネル（ＰＵＣＣＨ）を送信することと、ここにおいて、前記少なくとも２つのＰＵＣＣＨの各々は、前記少なくとも２つのノードのうちの対応するノード用に生成される、
を備える、方法。
【請求項２】
ワイヤレス通信のために構成されたユーザ機器（ＵＥ）であって、
前記ＵＥのマルチプルアップリンク能力を報告するための手段と、
２つ以上のタイミング調整グループ（ＴＡＧ）に属する２つ以上のノードについてのマルチフローアップリンク送信を前記ＵＥが行うための構成を受信するための手段と、ここにおいて、前記２つ以上のノードの各々が、前記２つ以上のＴＡＧのうちの別々のＴＡＧに属する、
前記ＵＥにより、前記２つ以上のノードのうちの少なくとも２つのノードに少なくとも２つの物理アップリンク制御チャネル（ＰＵＣＣＨ）を送信するための手段と、ここにおいて、前記少なくとも２つのＰＵＣＣＨの各々は、前記少なくとも２つのノードのうちの対応するノード用に生成される、
を備える、ＵＥ。
【請求項３】
ワイヤレスネットワーク内のワイヤレス通信のためのコンピュータプログラム製品であって、
プログラムコードを記録している非一時的コンピュータ可読媒体を備え、前記プログラムコードが、
ユーザ機器（ＵＥ）のマルチプルアップリンク能力を報告することを前記ＵＥに行わせるためのプログラムコードと、
２つ以上のタイミング調整グループ（ＴＡＧ）に属する２つ以上のノードについてのマルチフローアップリンク送信を行うことを前記ＵＥに行わせるためのプログラムコードと、ここにおいて、前記２つ以上のノードの各々が、前記２つ以上のＴＡＧのうちの別々のＴＡＧに属する、
前記２つ以上のノードのうちの少なくとも２つのノードに少なくとも２つの物理アップリンク制御チャネル（ＰＵＣＣＨ）を送信することを前記ＵＥに行わせるためのプログラムコードと、ここにおいて、前記少なくとも２つのＰＵＣＣＨの各々は、前記少なくとも２つのノードのうちの対応するノード用に生成される、
を含む、コンピュータプログラム製品。
【請求項４】
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
前記装置により、前記装置のマルチプルアップリンク能力を報告することと、
２つ以上のタイミング調整グループ（ＴＡＧ）に属する２つ以上のノードについてのマルチフローアップリンク送信を前記装置が行うための構成を受信することと、ここにおいて、前記２つ以上のノードの各々が、前記２つ以上のＴＡＧのうちの別々のＴＡＧに属する、
前記装置により、前記２つ以上のノードのうちの少なくとも２つのノードに少なくとも２つの物理アップリンク制御チャネル（ＰＵＣＣＨ）を送信することと
を行うように構成され、ここにおいて、前記少なくとも２つのＰＵＣＣＨの各々は、前記少なくとも２つのノードのうちの対応するノード用に生成される、装置。
【請求項５】
前記２つ以上のノードのうちの前記少なくとも２つのノードのうちの少なくとも１つのノードは、セカンダリセルである、請求項１に記載の方法。
【請求項６】
前記２つ以上のノードのうちの前記少なくとも２つのノードのうちの少なくとも１つのノードは、セカンダリセルである、請求項２に記載の装置。
【請求項７】
前記２つ以上のノードのうちの前記少なくとも２つのノードのうちの少なくとも１つのノードは、セカンダリセルである、請求項３に記載のコンピュータプログラム製品。
【請求項８】
前記２つ以上のノードのうちの前記少なくとも２つのノードのうちの少なくとも１つのノードは、セカンダリセルである、請求項４に記載の装置。
【請求項９】
前記ＵＥの前記マルチプルアップリンク能力は、異なる送信周波数に同時に調整する前記ＵＥの能力に対応する、請求項１に記載の方法。
【請求項１０】
前記２つ以上のノードのうちの前記少なくとも２つのノードは、ブースタまたはセカンダリノードを含む、請求項１に記載の方法。
【請求項１１】
前記ＵＥは、前記ブースタまたはセカンダリノードから受信される送信電力制御コマンドにしたがって前記ブースタまたはセカンダリノードへのＰＵＣＣＨ送信を行う、請求項１０に記載の方法。
【請求項１２】
前記ＵＥの最大利用可能電力が前記少なくとも２つのＰＵＣＣＨ送信のすべてを送信するのに十分ではないと決定することに応答して、アンカーノードを対象とするＰＵＣＣＨ送信に優先順位を付けることをさらに備える、請求項１に記載の方法。
【請求項１３】
前記ＵＥの最大利用可能電力が前記少なくとも２つのＰＵＣＣＨ送信のすべてを送信するのに十分ではないと決定することに応答して、ＰＵＣＣＨ送信にわたって送信電力をスケール変更することをさらに備える、請求項１に記載の方法。
【請求項１４】
前記ＵＥの前記マルチプルアップリンク能力は、異なる送信周波数に同時に調整する前記ＵＥの能力に対応する、請求項２に記載のＵＥ。
【請求項１５】
前記２つ以上のノードのうちの前記少なくとも２つのノードは、ブースタまたはセカンダリノードを含む、請求項２に記載のＵＥ。
【請求項１６】
前記ＵＥは、前記ブースタまたはセカンダリノードから受信される送信電力制御コマンドにしたがって前記ブースタまたはセカンダリノードへのＰＵＣＣＨ送信を行う、請求項１５に記載のＵＥ。
【請求項１７】
前記ＵＥの最大利用可能電力が前記少なくとも２つのＰＵＣＣＨ送信のすべてを送信するのに十分ではないと決定することに応答して、アンカーノードを対象とするＰＵＣＣＨ送信に優先順位を付けるための手段をさらに備える、請求項２に記載のＵＥ。
【請求項１８】
前記ＵＥの最大利用可能電力が前記少なくとも２つのＰＵＣＣＨ送信のすべてを送信するのに十分ではないと決定することに応答して、ＰＵＣＣＨ送信にわたって送信電力をスケール変更するための手段をさらに備える、請求項２に記載のＵＥ。
【請求項１９】
前記ＵＥの前記マルチプルアップリンク能力は、異なる送信周波数に同時に調整する前記ＵＥの能力に対応する、請求項３に記載のコンピュータプログラム製品。
【請求項２０】
前記２つ以上のノードのうちの前記少なくとも２つのノードは、ブースタまたはセカンダリノードを含む、請求項３に記載のコンピュータプログラム製品。
【請求項２１】
前記プログラムコードは、前記ブースタまたはセカンダリノードから受信される送信電力制御コマンドにしたがって前記ブースタまたはセカンダリノードへのＰＵＣＣＨ送信を行うためのプログラムコードをさらに含む、請求項２０に記載のコンピュータプログラム製品。
【請求項２２】
前記プログラムコードは、前記ＵＥの最大利用可能電力が前記少なくとも２つのＰＵＣＣＨ送信のすべてを送信するのに十分ではないと決定することに応答して、アンカーノードを対象とするＰＵＣＣＨ送信に優先順位を付けるためのプログラムコードをさらに含む、請求項３に記載のコンピュータプログラム製品。
【請求項２３】
前記プログラムコードは、前記ＵＥの最大利用可能電力が前記少なくとも２つのＰＵＣＣＨ送信のすべてを送信するのに十分ではないと決定することに応答して、ＰＵＣＣＨ送信にわたって送信電力をスケール変更するためのプログラムコードをさらに含む、請求項３に記載のコンピュータプログラム製品。
【請求項２４】
前記装置の前記マルチプルアップリンク能力は、異なる送信周波数に同時に調整する前記装置の能力に対応する、請求項４に記載の装置。
【請求項２５】
前記２つ以上のノードのうちの前記少なくとも２つのノードは、ブースタまたはセカンダリノードを含む、請求項４に記載の装置。
【請求項２６】
前記装置は、前記ブースタまたはセカンダリノードから受信される送信電力制御コマンドにしたがって前記ブースタまたはセカンダリノードへのＰＵＣＣＨ送信を行う、請求項２５に記載の装置。
【請求項２７】
前記少なくとも１つのプロセッサは、前記装置の最大利用可能電力が前記少なくとも２つのＰＵＣＣＨ送信のすべてを送信するのに十分ではないと決定することに応答して、アンカーノードを対象とするＰＵＣＣＨ送信に優先順位を付けるようにさらに構成される、請求項４に記載の装置。
【請求項２８】
前記少なくとも１つのプロセッサは、前記装置の最大利用可能電力が前記少なくとも２つのＰＵＣＣＨ送信のすべてを送信するのに十分ではないと決定することに応答して、ＰＵＣＣＨ送信にわたって送信電力をスケール変更するようにさらに構成される、請求項４に記載の装置。